(57)【要約】【課題】内部スペースを有効に活用しながら、操作性を犠牲にせずに誤操作を防止するパワースイッチを備えた電子機器を提供する。【解決手段】下部筐体１０１と上部筐体１０２の、それぞれ背面側の側面開口部の付近に突起部１０３、突起部１０４を設ける。パワースイッチ部１５１は、スイッチ筐体１５２の側部の上端が筐体側面と同じ高さになるように固定されている。摘まみ１５１が背面方向に飛び出す高さは、上記突起部１０３および突起部１０４の背面方向への高さと略一致する。また、突起部１０３および突起部１０４は、上面または下面から見た台形の上底が緩やかに凹んでおり、この凹みが摘まみの上端に沿った形状となっている。【選択図】図４
2008282627.tif 000002
【特許請求の範囲】
【請求項１】
箱形状の筐体と、
前記筐体のいずれかの面に露出している電源スイッチ部と、
を備え、
前記筐体のうち前記電源スイッチ部の周囲に、前記電源スイッチの高さと略一致する、または前記電源スイッチよりも高い突起部を設けた電子機器
【請求項２】
前記突起部は、前記筐体と一体成型されてなる請求項１に記載の電子機器。
【請求項３】
前記電源スイッチ部は、シーソー型の電源スイッチであり、
前記突起部は、前記シーソー型の電源スイッチのスイッチ切り替え方向に並行して設けられ、前記スイッチ切り替え方向に直交する方向から見た形状が台形である請求項１、または請求項２に記載の電子機器。
【請求項４】
前記台形の上底は曲面状に凹んでいる請求項３に記載の電子機器。
【発明の詳細な説明】
【技術分野】
【０００１】
この発明は、電子機器に関し、特にパワースイッチの周辺部分の形状に特徴を有する電子機器に関する。
【背景技術】
【０００２】
電子機器のパワースイッチとして、シーソー型パワースイッチが普及している（例えば特許文献１参照）。シーソー型パワースイッチは、スイッチ部分が突状になっているため、オン／オフを簡単に行うことができ、利便性が高いものであるが、その一方で誤まって操作をすることも多い。
【０００３】
そこで、シーソー型パワースイッチを筐体内に埋め込む手法が考えられている。図１は、シーソー型パワースイッチを備えた従来の電子機器の一例としてルータ装置の外観を示す図である。同図（Ａ）は、ルータ装置の背面図であり、同図（Ｂ）は、ルータ装置の上面図であり、同図（Ｃ）は、ルータ装置の正面図である。
【０００４】
このルータ装置１は、外観上、下部筐体１１、上部筐体１２、パワースイッチ部５０、および正面パネル１３を備えている。下部筐体１１と上部筐体１２は、それぞれ直方体の内部をくり抜いた桶形状であり、正面側の側面は略全面が開口している。この正面側の側面開口部で正面パネル１３を挟み込んでいる。下部筐体１１と上部筐体１２は、背面側の側面の一部が開口しており、この背面側の側面開口部でパワースイッチ部５０を挟み込んでいる。正面パネル１３にはＬＡＮポート等の各種インタフェースが設置されている。これらのインタフェースは、内部基板５３（図２参照）に接続されている。
【０００５】
図２は、パワースイッチ部５０の周辺領域１０を拡大した図である。同図（Ａ）は、背面側から見た図であり、同図（Ｂ）は、上面側から見た断面図であり、同図（Ｃ）は、側面側から見た断面図である。パワースイッチ部５０は、摘まみ５１、スイッチ筐体５２からなり、スイッチ筐体５２の側部が筐体と噛み合って固定される。また、スイッチ筐体５２の筐体内部側の端子は電気的に基板５３に接続されており、摘まみ５１を左右に押すことで接点変更され、ルータ装置の電源がオン／オフされる。
【０００６】
このパワースイッチ部５０は、摘まみ５１の上端が筐体側面（背面側）に飛び出さない位置に固定されている。すなわち、パワースイッチ部５０のスイッチ筐体５２の側部は、摘まみの高さ分だけ内部方向に凹んだ位置で筐体と噛み合っている。これにより、スイッチの誤操作を防止する。
【特許文献１】特開２００１−３０７５９７号公報
【発明の開示】
【発明が解決しようとする課題】
【０００７】
しかし、図１および図２のようにパワースイッチ部を筐体内部に埋め込むと、必要以上に摘まみが触り難くなり、操作性が悪くなっていた。また、埋め込んだ分だけ筐体内部のスペースが減少する問題も有った。
【０００８】
そこで、この発明は、内部スペースを有効に活用しながら、操作性を犠牲にせずに誤操作を防止するパワースイッチを備えた電子機器を提供することを目的とする。
【課題を解決するための手段】
【０００９】
この発明の電子機器は、箱形状の筐体と、前記筐体のいずれかの面に露出している電源スイッチ部と、を備え、前記筐体のうち前記電源スイッチ部の周囲に、前記電源スイッチの高さと略一致する、または前記電源スイッチよりも高い突起部を設けたことを特徴とする。
【００１０】
この構成では、筐体のいずれかの面に露出している電源スイッチ部（パワースイッチ部）の周囲に突起部を設けることで誤操作を防止する。パワースイッチ部を内部に埋め込める必要が無いため、操作性を犠牲にすることがない。また、内部スペースも有効活用できる。なお、シーソー型パワースイッチのみならず、その他のスイッチでも誤操作を防止することができる。
【００１１】
また、この発明は、さらに、前記突起部は、前記筐体と一体成型されてなることを特徴とする。
【００１２】
この構成では、突起部が筐体と一体成型されるため、コストがかかることがない。
【００１３】
また、この発明は、さらに、前記電源スイッチ部は、シーソー型の電源スイッチであり、前記突起部は、前記シーソー型の電源スイッチのスイッチ切り替え方向に並行して設けられ、前記スイッチ切り替え方向に直交する方向から見た形状が台形であることを特徴とする。
【００１４】
この構成では、シーソー型パワースイッチのスイッチ切り替え方向に沿って台形状の突起部が設けられている。スイッチ操作方向に突起部が沿っているため、誤操作を防止しながらもさらに操作性が向上する。
【００１５】
また、この発明は、さらに、前記台形の上底は曲面状に凹んでいることを特徴とする。
【００１６】
この構成では、突起部の台形の上底が曲面状に凹んでいるため、スイッチ切り替え方向に指で押す場合に操作性が犠牲になることがない。
【発明の効果】
【００１７】
この発明によれば、筐体のいずれかの面に露出している電源スイッチ部（パワースイッチ部）の周囲に突起部を設けることで誤操作を防止する。また、パワースイッチ部を内部に埋め込める必要が無いため、操作性を犠牲にすることがない。また、内部スペースも有効活用できる。
【発明を実施するための最良の形態】
【００１８】
図面を参照してこの発明の実施形態について説明する。図３は、シーソー型パワースイッチを備えたルータ装置の外観を示す図である。同図（Ａ）は、ルータ装置の背面図であり、同図（Ｂ）は、ルータ装置の上面図であり、同図（Ｃ）は、ルータ装置の正面図である。なお、本実施形態では電子機器としてルータ装置を示すが、本発明の適用範囲はこの例に限るものではない。
【００１９】
このルータ装置は、外観上、下部筐体１０１、上部筐体１０２、パワースイッチ部１５０、および正面パネル１０５を備えている。下部筐体１０１と上部筐体１０２は、それぞれ直方体の内部をくり抜いた桶形状であり、正面側の側面は略全面が開口している。この正面側の側面開口部で正面パネルを挟み込んでいる。背面側の側面は一部が開口しており、この背面側の側面開口部でパワースイッチ部１５０を挟み込んでいる。下部筐体１０１と上部筐体１０２が合わさることで、ルータ装置は直方体形状となる。
【００２０】
正面パネル１０５にはＬＡＮコネクタ等の各種インタフェースが設置されている。これらのインタフェースは、内部基板１５３（図４参照）に接続されている。この電子機器はルータ装置であるため、複数のＬＡＮコネクタ、ＩＳＤＮ＿Ｓ／Ｔ点コネクタ、シリアルポート（ＣＯＮＳＯＬＥ）等が設置されている。ＬＡＮコネクタ、ＩＳＤＮ＿Ｓ／Ｔ点コネクタには、それぞれツイスティッド・ペアケーブル（図示せず）が接続される。また、シリアルポートには、ＲＳ−２３２Ｃプラグ（図示せず）が接続される。なお、正面パネル１０５に設置されるインタフェースは、この例に限るものではない。また、正面パネル（各種インタフェース）の設置位置は、上面側など、その他の場所であってもよい。無論、背面側であってもよい。
【００２１】
下部筐体１０１は、背面側の側面開口部の下面側に突起部１０３を有している。また、上部筐体１０２は、背面側の側面開口部の上面側に突起部１０４を有している。突起部１０３および突起部１０４は、それぞれ上面方向または下面方向から見て略台形状であり、この台形の上底は筐体方向に向かって曲面状に緩やかに凹んでいる。また、突起部１０３および突起部１０４は、背面方向から見た形状が矩形である。この矩形の幅は数ｍｍ程度であり、長さはパワースイッチ部１５０の摘まみの長さと略一致する（例えば数十ｍｍ程度である）。下部筐体１０１および上部筐体１０２は、樹脂（または金属）の成型品であり、突起部１０３および突起部１０４は、下部筐体１０１および上部筐体１０２と一体成型される。
【００２２】
なお、図５に示すように、筐体と別部品として突起部を備えたスイッチ枠２０１を設け、これをパワースイッチ部１５０の周囲に噛み合わせることも考えられるが、部品点数が増えるため製造効率が低下し、コストがかかる。また、この別部品であるスイッチ枠２０１をパワースイッチ部１５０に取り付けると、パワースイッチ部１５０を基板１５３に取り付ける（半田付けを行う）場合に妨げとなる。そのため、本実施形態では突起部と筐体を一体成型としている。
【００２３】
次に、図４は、パワースイッチ部の周辺領域１１０を拡大した図である。同図（Ａ）は、背面側から見た図であり、同図（Ｂ）は、上面側から見た断面図であり、同図（Ｃ）は、側面側から見た断面図である。パワースイッチ部１５０は、摘まみ１５１およびスイッチ筐体１５２からなり、スイッチ筐体１５２の側部が筐体と噛み合って固定される。スイッチ筐体１５２の背面側に摘まみ１５１が配置されており、この摘まみ１５１が筐体外側に露出する。スイッチ筐体１５２の筐体内部側の端子は電気的に基板１５３に接続されており、摘まみ１５１を左右に押すことで接点変更され、ルータ装置の電源がオン／オフされる。
【００２４】
このパワースイッチ部１５０は、摘まみ１５１の上端が筐体側面に飛び出す位置に固定されている。すなわち、パワースイッチ部１５０のスイッチ筐体１５２の側部の上端が筐体１０１および筐体１０２の背面と同じ高さになるように固定されている。
【００２５】
ここで、摘まみ１５１が背面方向に飛び出す高さは、上記突起部１０３および突起部１０４の背面方向への高さと略一致する。したがって、これらの突起部１０３、突起部１０４が摘まみの保護壁となり、誤ってスイッチが切り替えられる可能性を低減させる。なお、突起部１０３および突起部１０４の背面方向への高さは、摘まみの飛び出す高さよりもさらに高くてもよい。
【００２６】
また、突起部１０３および突起部１０４は、上面または下面から見た台形の上底が緩やかに凹んでおり、この凹みが摘まみ１５１の上端に沿った形状となっている。このような突起部１０３および突起部１０４がスイッチ切り替え方向に沿って筐体に設置されているため、摘まみ１５１を指で押してスイッチを切り替える場合に操作性が犠牲になることがない。また、スイッチを切り替える方向には突起部がないため、操作性を維持しながらも誤操作を防止することができる。
【００２７】
なお、突起部の形状はこの実施形態に限定されるものではない。突起部を上面方向または下面方向から見た形状が矩形状であってもよいし、三角形状であってもよい。三角形状である場合、電源オフ方向の突起部の高さを高くし、電源オフ方向にのみ誤操作を防止するようにし、電源オン方向には操作しやすいようにすればよい。
【００２８】
また、本実施形態ではパワースイッチとしてシーソー型のパワースイッチを示したが、パワースイッチ周囲の筐体に突起部を設けることができれば、その他の形状のスイッチであっても本発明を適用可能である。
【図面の簡単な説明】
【００２９】
【図１】従来の電子機器を示す外観図である。
【図２】従来の電子機器のシーソー型パワースイッチ部の周辺領域１０の拡大図である。
【図３】本実施形態に係る電子機器を示す外観図である。
【図４】本実施形態に係る電子機器のシーソー型パワースイッチ部の周辺領域１１０の拡大図である。
【図５】突起部を筐体と別部品として設ける例を示す図である。
【符号の説明】
【００３０】
１０１−下部筐体
１０２−上部筐体
【図１】
2008282627.tif 000003
【図２】
2008282627.tif 000004
【図３】
2008282627.tif 000005
【図４】
2008282627.tif 000006
【図５】
2008282627.tif 000007